(57)【要約】【課題】  ガス放出時の大音響の発生を抑制すると共に、余分な設置スペースを不要とし、火災発生区画内における消火に最適な位置への配置を可能とする。【解決手段】  ガス消火設備におけるガス供給配管に設けられるガス放出ノズルである。該ガス放出ノズル１は、有底の筒形状をなし、底壁部１Ａに放出口２を設けてなり。更にその内部に、多孔質である金属粉末焼結体からなる音響発生抑制材４を装填してなるものである。【選択図】  図１
2018057724.tif 000002
【特許請求の範囲】
【請求項１】
ガス供給配管に設けられるガス放出ノズルにおいて、該ガス放出ノズルの内部に、音響発生抑制材を装填してなることを特徴とするガス消火設備用ガス放出ノズル。
【請求項２】
前記ガス放出ノズルが、有底の筒形状をなし、底壁部に放出口を設けたガス放出ノズルである請求項１記載のガス消火設備用ガス放出ノズル。
【請求項３】
前記音響発生抑制材が、金属粉末焼結体である請求項１又は２記載のガス消火設備用ガス放出ノズル。
【発明の詳細な説明】
【技術分野】
【０００１】
本発明は、ガス消火設備用ガス放出ノズルに関するものである。
【背景技術】
【０００２】
ＣＯ２ガス、Ｎ２ガス又はハロゲン化物等のガスを消火剤として放出し、火災発生区画内のＯ２濃度を低下させて、或いは、燃焼連鎖反応を断じて消火するようにしたガス消火設備がある。
【０００３】
斯かるガス消火設備は、消火剤としてのガスを充填したガスボンベから、該ガスボンベの供給口に備えたガス起動装置及びガス供給配管を経て火災発生区画内に設置したガス放出ノズルへガスを供給し、該ガス放出ノズルからガスを放出するものである。
【０００４】
また、該ガス消火設備の火災発生時における作動は、火災発生区画内に設置した火災検知装置からの信号を受けて制御盤が作動し、更に該制御盤からの信号によってガス起動装置が作動し、ガスボンベの供給口を開放してそれの内部のガスをガス供給配管に供給するものである。
【０００５】
ところで、斯かるガス消火設備には大きな問題点がある。それは、消火剤としてのガスがガス放出ノズルの放出口から放出される際に、非常に大きな耳につき易い鋭い音響が発生し、騒音問題を引き起こす原因となることがある。また、コンピュータやサーバーのハードディスクの障害を引き起こすことがある。
【０００６】
尚、消火剤としてのガスがガス放出ノズルの放出口から放出される際に発生する大きな音響は、ガス放出ノズルの内部に高圧で供給されたガスが、流れを絞る細い流路である放出口を通過する際に非常に高圧、高速になって流れることによって起こるものである。
【０００７】
そして、このような騒音問題を解決するために、従来においても種々の手段が案出され、実用化されている。
【０００８】
従来における手段は、例えば、図６及び図７に示す如きものであり、ガス放出ノズルの放出口の外部側、即ち二次側に消音装置を装着することによるものである。
【０００９】
図６及び図７において、１００はガス放出ノズルであり、有底円筒状をなし、底壁部１００Ａに放出口１０１を設けてなるものである。また、該ガス放出ノズル１００は、図示しないガス供給配管に分岐管を介して設けられており、１０２は該分岐管の先端部である。また、ガス放出ノズル１００の分岐管の先端部１０２への接続は、分岐管の先端部１０２の外周面に刻設した雄ねじ１０２ａとガス放出ノズル１００の内周面に刻設した雌ねじ１００ａとの螺合によって行うものである。
【００１０】
１０３は前記ガス放出ノズル１００の放出口１０１の外部側、即ち二次側に装着する消音装置である。また、図示した消音装置１０３は、バッフル構造をなすものであって、有底円筒状をなす消音装置本体１０３Ａの内部に、支柱１０４をもって中心軸線に沿って等間隔に複数（図示した例においては３枚）の薄板１０５、１０５、１０５を配置すると共に、各薄板１０５、１０５、１０５の夫々に多数のガス通過小孔１０５ａを設け、更に消音装置本体１０３Ａの側壁部１０３Ａ′における前記複数の薄板１０５、１０５、１０５の夫々の中間に位置する部分に、前記ガス通過小孔１０５ａよりも大径の放出口１０３ａを設けると共に、消音装置本体１０３Ａの底壁部１０３Ａ″に、前記放出口１０３ａと同径の複数の放出口１０３ｂを設けてなるものである。また、該消音装置１０３の前記ガス放出ノズル１００への接続は、ガス放出ノズル１００の先端部の外周面に刻設した雄ねじ１００ｂと消音装置１０３の内周面に刻設した雌ネジ１０３ｃとの螺合によって行うものである。
【００１１】
斯かる消音装置１０３をガス放出ノズル１００の放出口１０１の外部側、即ち二次側に装着すると、消火剤としてのガスが放出口１０１を通過する際に発生する大きな音響は、消音装置１０３内に間隔をおいて配置された複数の薄板１０５のガス通過小孔１０５ａを通過するたびに次第に減衰されるものである。
【００１２】
このように、ガス放出ノズル１００に消音装置１０３を装着するようにすれば、騒音問題を解決することができる。しかし、斯かる消音装置１０３は、ガス放出ノズル１００の放出口１０１の外部側、即ち二次側に装着するものであるから、ガス放出ノズル１００の先端側に大きなブロック状の物体が被さった状態となる。よって、火災発生区画内に、ガス放出ノズル１００の他にこの分の設置スペースを必要とすることになる。また、構造が複雑であるから製造に手間がかかり、且つまた構成部品も多いことから製造コストが高くつくことになるものである。
【００１３】
ところで、近時の通信ネットワークの発達によりインターネットやクラウドが普及し、そしてこれらにおいてはサーバー装置が用いられる。また、斯かるサーバー装置においては、それにおける電線の密集や過電流による電線の発熱等によって火災が誘発された場合、システムダウンを起こしてオンラインユーザーへ甚大な被害を与えることになることから、火災の初期において速やかに消火する必要がある。
【００１４】
また、斯かるサーバー装置は、電子部品やハードディスク等の精密機器で構成されており、ガス放出時の大音響の衝撃が加わるとこれらの精密機器の破損や誤作動を招く虞がある。
【００１５】
そしてまた、斯かるサーバー装置における複数のサーバーユニットを収納するサーバーラックは、その内部に多数のサーバーユニットを多段に積み重ねた状態で収納するものであるから、それに備えるガス消火設備におけるガス供給配管及びガス放出ノズルの設置スペースがきわめて限られたものとなっている。
【００１６】
このような状況において前記従来のガス放出ノズルに消音装置を装着することによる騒音解決手段を採用しようとすると、前記の通り、消音装置により大音響を減衰させることができることから、大音響の衝撃による精密機器の破損や誤作動を招くことはなくなるが、付属品である消音装置自体がガス放出ノズルの先端から大きく出っ張り、これが邪魔になってガス放出ノズルのサーバーラック内における消火に最適な位置への配置が難しくなる。
【発明の概要】
【発明が解決しようとする課題】
【００１７】
本発明は上記の点に鑑みなされたものであって、ガス放出ノズルの内部に音響発生抑制材を装填して、ガス放出時の大音響の発生を抑制すると共に、従来の如きガス放出ノズルの先端に外付けで消音装置を装着することによる設置スペース内における配設位置の限定問題を解消し、ガス放出ノズルの、特にサーバー装置のサーバーラック内における消火に最適な位置への配置を可能となしたガス消火設備用ガス放出ノズルを提供しようとするものである。
【課題を解決するための手段】
【００１８】
而して、本発明の要旨とするところは、ガス供給配管に設けられるガス放出ノズルにおいて、該ガス放出ノズルの内部に、音響発生抑制材を装填してなることを特徴とするガス消火設備用ガス放出ノズルにある。
【００１９】
また、上記構成において、ガス放出ノズルとしては、有底の筒形状をなし、底壁部に放出口を設けたガス放出ノズルであることが好ましい。
【００２０】
また、上記構成において、音響発生抑制材としては金属粉末焼結体が好ましく、該金属粉末焼結体としては、アルミニウム、銅合金、ステンレスなどの材料がある。
【発明の効果】
【００２１】
本発明は上記の如き構成であり、ガス放出ノズルの内部に、音響発生抑制材を装填してなるものであるから、ガス放出時の大音響の発生を抑制することができるものである。
【００２２】
また、ガス放出ノズルの内部に高圧で供給されたガスは、多孔質である金属粉末焼結体からなる音響発生抑制材である場合には、該音響発生抑制材を通過する際に圧力と流速を大幅に減衰され、その結果、放出口を通過する際のガスの圧力と流速が大幅に低減され、従来の如き大音響の発生を抑制することができるものである。
【００２３】
また、大音響の発生を抑制するための、ガスの圧力と流速を減衰させる多孔質である金属粉末焼結体からなる音響発生抑制材は、ガス放出ノズル自体の内部、即ち一次側に装填してあるから、従来のガス放出ノズルの外部に消音装置を装着する場合の如く出っ張って大きな設置スペースを必要とすることがないものである。したがって、設置スペース内における配設位置の限定問題を解消し、ガス放出ノズルの、特にサーバー装置のサーバーラック内における消火に最適な位置への配置を可能とすることができるものである。そして、これにより迅速且つ効果的な初期消火をなし得ることになるものである。
【００２４】
また、多孔質である金属粉末焼結体は、耐久性と耐熱、耐圧、耐衝撃性に優れていることから、本発明における音響発生抑制材として最適である。
【図面の簡単な説明】
【００２５】
【図１】本発明の第１実施形態に係るガス消火設備用ガス放出ノズルの中央縦断面図である。
【図２】同分解した状態の中央縦断面図である。
【図３】同サーバー装置のサーバーラック内に配設した状態の説明図である。
【図４】図３中Ａ部分の拡大斜視図である。
【図５】本発明の第２実施形態に係るガス消火設備用ガス放出ノズルの分解した状態の中央縦断面図である。
【図６】従来における騒音問題解決手段の説明図であり、ガス放出ノズルと消音装置の部分の中央縦断面図である。
【図７】同分解した状態の中央縦断面図である。
【発明を実施するための形態】
【００２６】
以下、本発明を実施するための形態について、図面を参照して説明する。
【００２７】
先ず、図１乃至図４に示した本発明の第１実施形態について説明する。
図中、１はガス消火設備用ガス放出ノズルである、また、該ガス放出ノズル１は、有底の筒形状をなし、底壁部１Ａに放出口２を設けてなるものである。尚、該ガス放出ノズル１は、本実施形態においては外形が六角形状をなしている。また、該ガス放出ノズル１は、後記ガス供給配管に分岐管を介して設けられており、３は該分岐管の先端部である。また、ガス放出ノズル１の分岐管の先端部３への接続は、分岐管の先端部３の外周面に刻設した雄ねじ３ａとガス放出ノズル１の内周面に刻設した雌ねじ１ａとの螺合によって行うものである。尚、本実施形態においてはガス放出ノズル１として外形が六角形状の有底の筒形状をなし、底壁部１Ａに放出口２を設けてなるものを示したが、ガス放出ノズルの形態としてはこれ以外のものとしても良いものである。
【００２８】
４は前記ガス放出ノズル１の内部に、即ち一次側に装填した音響発生抑制材であり、多孔質である金属粉末焼結体からなるものである。尚、本実施形態においては金属粉末焼結体としてアルミニウム粉末焼結体を用いている。また、５はガス放出ノズル１の内部に、即ち放出口２の上流側に装填した金属粉末焼結体からなる音響発生抑制材４を固定するためのスナップリングである。尚、該スナップリング５は、他の固定手段を採用することにより不要とすることもできる。
【００２９】
次に、本実施形態に係るガス放出ノズル１をサーバー装置におけるサーバーラック内に配設する場合の例について、図３を参照して説明する。
【００３０】
６はサーバー装置におけるサーバーラックであり、その内部には多数のサーバーユニット７、７、７・・・が多段に積み重ねた状態で収納されている。
【００３１】
８は、前記サーバーラック６に備えたガス消火設備であり、消火剤としてのガスを充填したガスボンベ９から、該ガスボンベ９の供給口に備えたガス起動装置１０及びガス供給配管１１を経てサーバーラック６内における消火に最適な位置に配設した前記ガス放出ノズル１へガスを供給し、該ガス放出ノズル１からガスを放出するものである。尚、消火剤として使用するガスは、精密機器への悪影響が少ないＣＯ２ガス、Ｎ２ガスやハロゲン化物のＦＫ−５−１−１２等が用いられる。
【００３２】
また、該ガス消火設備８の火災発生時における作動は、サーバーラック６内に設置した火災検知装置Ｃからの信号を受けて制御盤１２が作動し、更に該制御盤１２からの信号によってガス起動装置１０が作動し、ガスボンベ９の供給口を開放してそれの内部のガスをガス供給配管１１に供給するものである。尚、１３は制御盤の電源装置である。
【００３３】
上記の例において、サーバーラック６内に配設したガス放出ノズル１は、その内部に高圧で供給されたガスを、多孔質である金属粉末焼結体からなる音響発生抑制材４を通過する際に圧力と流速を大幅に減衰させ、その結果、放出口２を通過する際のガスの圧力と流速を大幅に低減し、従来の如き大音響の発生を抑制することができるものである。したがって、大音響の衝撃によるサーバーユニット７における精密機器の破損や誤作動を招く可能性が低減するものである。
【００３４】
また、大音響の発生を抑制するための、ガスの圧力と流速を減衰させる多孔質である金属粉末焼結体からなる音響発生抑制材４は、ガス放出ノズル１自体の内部、即ち一次側に装填してあるから、従来のガス放出ノズルの外部に消音装置を装着する場合の如く出っ張って大きな設置スペースを必要とすることがないものである。したがって、設置スペース内における配設位置の限定問題を解消し、ガス放出ノズル１の、サーバーラック６内における消火に最適な位置への配置を可能とすることができるものである。そして、これにより迅速且つ効果的な初期消火をなし得ることになるものである。
【００３５】
次に、図５に示した本発明の第２実施形態について説明する。
【００３６】
本実施形態と前記第１実施形態とは、ガス放出ノズルの外形の形状と分岐管の先端部への接合構造において相違するものである。即ち、前記第１実施形態においては、ガス放出ノズル１の外形が六角形状であり、そしてこれの分岐管の先端部３への接続は、分岐管の先端部３の外周面に刻設した雄ねじ３ａとガス放出ノズル１の内周面に刻設した雌ねじ１ａとの螺合によって行うものであるのに対して、本実施形態においては、ガス放出ノズル１の外形が円形であり、そしてこれの分岐管の先端部３への接続は、分岐管の先端部３の内周面に刻設した雌ねじ３ｂとガス放出ノズル１の外周面に刻設した雄ねじ１ｂとの螺合によって行うものである。尚、その他の構成並びに作用は前記第１実施形態と同様であるから、同一の部材には同一の符号を付して詳細な説明は省略する。
【符号の説明】
【００３７】
１  ガス消火設備用ガス放出ノズル
１ａ  雌ねじ
１ｂ  雄ねじ
２  放出口
３  分岐管の先端部
３ａ  雄ねじ
３ｂ  雌ねじ
４  音響発生抑制材
５  スナップリング
６  サーバーラック
７  サーバーユニット
Ｃ  火災検知装置
【図１】
2018057724.tif 000003
【図２】
2018057724.tif 000004
【図３】
2018057724.tif 000005
【図４】
2018057724.tif 000006
【図５】
2018057724.tif 000007
【図６】
2018057724.tif 000008
【図７】
2018057724.tif 000009